(57)【要約】  無線通信装置および無線通信方法が提供される。この方法は、第２ユーザ機器からデータを受信することと、第２ユーザ機器からのデータの復号を実行することと、第２ユーザ機器からのデータの復号に関連する復号状態に応じたフィードバック情報を第２ユーザ機器へ送信することと、を含み、フィードバック情報はシーケンスにより運ばれる。
2021534656.tif 000002
【特許請求の範囲】
【請求項１】
無線通信用の第１ユーザ機器（ｕｓｅｒ  ｅｑｕｉｐｍｅｎｔ）であって、
メモリと、
送受信部と、
前記メモリおよび前記送受信部と結合されたプロセッサと、
を備え、
前記プロセッサは、
前記送受信部を制御して第２ユーザ機器からデータを受信し、
前記第２ユーザ機器からの前記データの復号を実行し、
前記送受信部を制御して前記第２ユーザ機器からの前記データの前記復号に関連する復号状態に応じたフィードバック情報を前記第２ユーザ機器へ送信する、
ように構成されている、第１ユーザ機器。
【請求項２】
前記フィードバック情報はシーケンスにより運ばれ、前記フィードバック情報はハイブリッド自動再送要求（ＨＡＲＱ）肯定応答（ＡＣＫ）またはＨＡＲＱ否定応答（ＮＡＣＫ）である、請求項１に記載の第１ユーザ機器。
【請求項３】
前記シーケンスは、前記フィードバック情報、前記第１ユーザ機器の識別情報（ＩＤ）、前記第２ユーザ機器のＩＤ、前記第１ユーザ機器および前記第２ユーザ機器を含むグループのＩＤ、のうちの少なくとも一つに基づいて決定される、請求項２に記載の第１ユーザ機器。
【請求項４】
前記第１ユーザ機器と前記第２ユーザ機器の間の通信はユニキャストまたはグループキャストを用いて行われる、請求項２に記載の第１ユーザ機器。
【請求項５】
前記フィードバック情報は１つの直交周波数分割多重（ＯＦＤＭ）シンボルで送信され、前記１つのＯＦＤＭシンボルはガード期間として使用されるＯＦＤＭシンボルと隣接する、請求項１から４のいずれか一項に記載の第１ユーザ機器。
【請求項６】
前記フィードバック情報は２つの隣接するＯＦＤＭシンボルで繰り返し送信され、前記２つの隣接するＯＦＤＭシンボルのうちの前記フィードバック情報を含む第２ＯＦＤＭシンボルはガード期間として使用されるＯＦＤＭシンボルと隣接する、請求項１から４のいずれか一項に記載の第１ユーザ機器。
【請求項７】
前記第２ユーザ機器からの前記データは物理サイドリンク共有チャネル（ＰＳＳＣＨ）により運ばれ、前記フィードバック情報は同一のサブフレーム内および／または同一のスロット内の、または、異なるサブフレーム内および／または異なるスロット内の前記ＰＳＳＣＨに対応する、請求項１から６のいずれか一項に記載の第１ユーザ機器。
【請求項８】
前記フィードバック情報はフィードバックチャネルにより運ばれ、前記フィードバックチャネルの送信リソースは物理サイドリンク制御チャネル（ＰＳＣＣＨ）もしくはＰＳＳＣＨの送信リソースにより決定される、または前記ＰＳＣＣＨにより示される、請求項１から７のいずれか一項に記載の第１ユーザ機器。
【請求項９】
前記フィードバックチャネルの周波数リソースの数は前記ＰＳＳＣＨの周波数リソースの数と同じである、または前記フィードバックチャネルの前記周波数リソースの数は前記ＰＳＳＣＨに関連するＰＳＣＣＨの周波数リソースの数と同じである、または前記フィードバックチャネルの前記周波数リソースの数はあらかじめ設定される、もしくはネットワークにより設定される、請求項８に記載の第１ユーザ機器。
【請求項１０】
前記フィードバックチャネルの周波数開始位置は前記ＰＳＣＣＨもしくは前記ＰＳＳＣＨの周波数開始位置と同じである、または、前記フィードバックチャネルの周波数終了位置は前記ＰＳＣＣＨもしくは前記ＰＳＳＣＨの周波数終了位置と同じである、請求項８または９に記載の第１ユーザ機器。
【請求項１１】
前記フィードバック情報は前記フィードバック情報がマップされるＯＦＤＭシンボルのＮ個のリソース要素（ＲＥ）につき１つのＲＥにマップされる、請求項１から４のいずれか一項に記載の第１ユーザ機器。
【請求項１２】
第１ユーザ機器の無線通信方法であって、
第２ユーザ機器からデータを受信することと、
前記第２ユーザ機器からの前記データの復号を実行することと、
前記第２ユーザ機器からの前記データの前記復号に関連する復号状態に応じたフィードバック情報を前記第２ユーザ機器へ送信することと、
を含む、方法。
【請求項１３】
前記フィードバック情報はシーケンスにより運ばれ、前記フィードバック情報はハイブリッド自動再送要求（ＨＡＲＱ）肯定応答（ＡＣＫ）またはＨＡＲＱ否定応答（ＮＡＣＫ）である、請求項１２に記載の方法。
【請求項１４】
前記シーケンスは、前記フィードバック情報、前記第１ユーザ機器の識別情報（ＩＤ）、前記第２ユーザ機器のＩＤ、前記第１ユーザ機器および前記第２ユーザ機器を含むグループのＩＤ、のうちの少なくとも一つに基づいて決定される、請求項１３に記載の方法。
【請求項１５】
前記第１ユーザ機器と前記第２ユーザ機器の間の通信はユニキャストまたはグループキャストを用いて行われる、請求項１３に記載の方法。
【請求項１６】
前記フィードバック情報は１つの直交周波数分割多重（ＯＦＤＭ）シンボルで送信され、前記１つのＯＦＤＭシンボルはガード期間として使用されるＯＦＤＭシンボルと隣接する、請求項１２から１５のいずれか一項に記載の方法。
【請求項１７】
前記フィードバック情報は２つの隣接するＯＦＤＭシンボルで繰り返し送信され、前記２つの隣接するＯＦＤＭシンボルのうちの前記フィードバック情報を含む第２ＯＦＤＭシンボルはガード期間として使用されるＯＦＤＭシンボルと隣接する、請求項１２から１５のいずれか一項に記載の方法。
【請求項１８】
前記第２ユーザ機器からの前記データは物理サイドリンク共有チャネル（ＰＳＳＣＨ）により運ばれ、前記フィードバック情報は同一のサブフレーム内および／または同一のスロット内の、または、異なるサブフレーム内および／または異なるスロット内の前記ＰＳＳＣＨに対応する、請求項１２から１７のいずれか一項に記載の方法。
【請求項１９】
前記フィードバック情報はフィードバックチャネルにより運ばれ、前記フィードバックチャネルの送信リソースは物理サイドリンク制御チャネル（ＰＳＣＣＨ）もしくはＰＳＳＣＨの送信リソースにより決定される、または前記ＰＳＣＣＨにより示される、請求項１２から１８のいずれか一項に記載の方法。
【請求項２０】
前記フィードバックチャネルの周波数リソースの数は前記ＰＳＳＣＨの周波数リソースの数と同じである、または前記フィードバックチャネルの前記周波数リソースの数は前記ＰＳＳＣＨに関連するＰＳＣＣＨの周波数リソースの数と同じである、または前記フィードバックチャネルの前記周波数リソースの数はあらかじめ設定される、もしくはネットワークにより設定される、請求項１９に記載の方法。
【請求項２１】
前記フィードバックチャネルの周波数開始位置は前記ＰＳＣＣＨもしくは前記ＰＳＳＣＨの周波数開始位置と同じである、または、前記フィードバックチャネルの周波数終了位置は前記ＰＳＣＣＨもしくは前記ＰＳＳＣＨの周波数終了位置と同じである、請求項１９または２０に記載の方法。
【請求項２２】
前記フィードバック情報は前記フィードバック情報がマップされるＯＦＤＭシンボルのＮ個のリソース要素（ＲＥ）につき１つのＲＥにマップされる、請求項１２から１５のいずれか一項に記載の方法。
【請求項２３】
無線通信用の第２ユーザ機器であって、
メモリと、
送受信部と、
前記メモリおよび前記送受信部と結合されたプロセッサと、
を備え、
前記プロセッサは、
前記送受信部を制御してデータを第１ユーザ機器へ送信し、
前記送受信部を制御して前記データの復号に関連する復号状態に応じたフィードバック情報を前記第１ユーザ機器から受信する、
ように構成されている、第２ユーザ機器。
【請求項２４】
前記フィードバック情報はシーケンスにより運ばれ、前記フィードバック情報はハイブリッド自動再送要求（ＨＡＲＱ）肯定応答（ＡＣＫ）またはＨＡＲＱ否定応答（ＮＡＣＫ）である、請求項２３に記載の第２ユーザ機器。
【請求項２５】
前記シーケンスは、前記フィードバック情報、前記第１ユーザ機器の識別情報（ＩＤ）、前記第２ユーザ機器のＩＤ、前記第１ユーザ機器および前記第２ユーザ機器を含むグループのＩＤ、のうちの少なくとも一つに基づいて決定される、請求項２４に記載の第２ユーザ機器。
【請求項２６】
前記プロセッサは、前記シーケンスを検出して、前記第２ユーザ機器自身へ送信された前記フィードバック情報があること、および前記フィードバック情報を誰が送信したのかを検出に基づいて判定するよう構成されている、請求項２５に記載の第２ユーザ機器。
【請求項２７】
前記検出は局所的シーケンスと前記第２ユーザ機器が受信した信号との間の相互相関により行われる、請求項２５に記載の第２ユーザ機器。
【請求項２８】
前記第１ユーザ機器と前記第２ユーザ機器の間の通信はユニキャストまたはグループキャストを用いて行われる、請求項２４に記載の第２ユーザ機器。
【請求項２９】
前記フィードバック情報は１つの直交周波数分割多重（ＯＦＤＭ）シンボルで送信され、前記１つのＯＦＤＭシンボルはガード期間として使用されるＯＦＤＭシンボルと隣接する、請求項２３から２８のいずれか一項に記載の第２ユーザ機器。
【請求項３０】
前記フィードバック情報は２つの隣接するＯＦＤＭシンボルで繰り返し送信され、前記２つの隣接するＯＦＤＭシンボルのうちの前記フィードバック情報を含む第２ＯＦＤＭシンボルはガード期間として使用されるＯＦＤＭシンボルと隣接する、請求項２３から２８のいずれか一項に記載の第２ユーザ機器。
【請求項３１】
前記第２ユーザ機器からの前記データは物理サイドリンク共有チャネル（ＰＳＳＣＨ）により運ばれ、前記フィードバック情報は同一のサブフレーム内および／または同一のスロット内の、または、異なるサブフレーム内および／または異なるスロット内の前記ＰＳＳＣＨに対応する、請求項２３から３０のいずれか一項に記載の第２ユーザ機器。
【請求項３２】
前記フィードバック情報はフィードバックチャネルにより運ばれ、前記フィードバックチャネルの送信リソースは物理サイドリンク制御チャネル（ＰＳＣＣＨ）もしくはＰＳＳＣＨの送信リソースにより決定される、または前記ＰＳＣＣＨにより示される、請求項２３から３１のいずれか一項に記載の第２ユーザ機器。
【請求項３３】
前記フィードバックチャネルの周波数リソースの数は前記ＰＳＳＣＨの周波数リソースの数と同じである、または前記フィードバックチャネルの前記周波数リソースの数は前記ＰＳＳＣＨに関連するＰＳＣＣＨの周波数リソースの数と同じである、または前記フィードバックチャネルの前記周波数リソースの数はあらかじめ設定される、もしくはネットワークにより設定される、請求項３１に記載の第２ユーザ機器。
【請求項３４】
前記フィードバックチャネルの周波数開始位置は前記ＰＳＣＣＨもしくは前記ＰＳＳＣＨの周波数開始位置と同じである、または、前記フィードバックチャネルの周波数終了位置は前記ＰＳＣＣＨもしくは前記ＰＳＳＣＨの周波数終了位置と同じである、請求項３１または３２に記載の第２ユーザ機器。
【請求項３５】
前記フィードバック情報は前記フィードバック情報がマップされるＯＦＤＭシンボルのＮ個のリソース要素（ＲＥ）につき１つのＲＥにマップされる、請求項２３から２６のいずれか一項に記載の第２ユーザ機器。
【請求項３６】
第２ユーザ機器の無線通信の方法であって、
データを第１ユーザ機器へ送信することと、
前記データの復号に関連する復号状態に応じたフィードバック情報を前記第１ユーザ機器から受信することと、
を含む、方法。
【請求項３７】
前記フィードバック情報はシーケンスにより運ばれ、前記フィードバック情報はハイブリッド自動再送要求（ＨＡＲＱ）肯定応答（ＡＣＫ）またはＨＡＲＱ否定応答（ＮＡＣＫ）である、請求項３６に記載の方法。
【請求項３８】
前記シーケンスは、前記フィードバック情報、前記第１ユーザ機器の識別情報（ＩＤ）、前記第２ユーザ機器のＩＤ、前記第１ユーザ機器および前記第２ユーザ機器を含むグループのＩＤ、のうちの少なくとも一つに基づいて決定される、請求項３７に記載の方法。
【請求項３９】
前記シーケンスを検出することと、前記第２ユーザ機器自身へ送信された前記フィードバック情報があること、および前記フィードバック情報を誰が送信したのかを前記検出に基づいて判定することと、をさらに含む、請求項３８に記載の方法。
【請求項４０】
前記検出は局所的シーケンスと前記第２ユーザ機器が受信した信号との間の相互相関により行われる、請求項３９に記載の方法。
【請求項４１】
前記第１ユーザ機器と前記第２ユーザ機器の間の通信はユニキャストまたはグループキャストを用いて行われる、請求項３７に記載の方法。
【請求項４２】
前記フィードバック情報は１つの直交周波数分割多重（ＯＦＤＭ）シンボルで送信され、前記１つのＯＦＤＭシンボルはガード期間として使用されるＯＦＤＭシンボルと隣接する、請求項３６から４１のいずれか一項に記載の方法。
【請求項４３】
前記フィードバック情報は２つの隣接するＯＦＤＭシンボルで繰り返し送信され、前記２つの隣接するＯＦＤＭシンボルのうちの前記フィードバック情報を含む第２ＯＦＤＭシンボルはガード期間として使用されるＯＦＤＭシンボルと隣接する、請求項３６から４１のいずれか一項に記載の方法。
【請求項４４】
前記第２ユーザ機器からの前記データは物理サイドリンク共有チャネル（ＰＳＳＣＨ）により運ばれ、前記フィードバック情報は同一のサブフレーム内および／または同一のスロット内の、または、異なるサブフレーム内および／または異なるスロット内の前記ＰＳＳＣＨに対応する、請求項３６から４３のいずれか一項に記載の方法。
【請求項４５】
前記フィードバック情報はフィードバックチャネルにより運ばれ、前記フィードバックチャネルの送信リソースは物理サイドリンク制御チャネル（ＰＳＣＣＨ）もしくはＰＳＳＣＨの送信リソースにより決定される、または前記ＰＳＣＣＨにより示される、請求項３６から４４のいずれか一項に記載の方法。
【請求項４６】
前記フィードバックチャネルの周波数リソースの数は前記ＰＳＳＣＨの周波数リソースの数と同じである、または前記フィードバックチャネルの前記周波数リソースの数は前記ＰＳＳＣＨに関連するＰＳＣＣＨの周波数リソースの数と同じである、または前記フィードバックチャネルの前記周波数リソースの数はあらかじめ設定される、もしくはネットワークにより設定される、請求項４５に記載の方法。
【請求項４７】
前記フィードバックチャネルの周波数開始位置は前記ＰＳＣＣＨもしくは前記ＰＳＳＣＨの周波数開始位置と同じである、または、前記フィードバックチャネルの周波数終了位置は前記ＰＳＣＣＨもしくは前記ＰＳＳＣＨの周波数終了位置と同じである、請求項４４または４５に記載の方法。
【請求項４８】
前記フィードバック情報は前記フィードバック情報がマップされるＯＦＤＭシンボルのＮ個のリソース要素（ＲＥ）につき１つのＲＥにマップされる、請求項３６から３９のいずれか一項に記載の方法。
【請求項４９】
コンピュータにより実行された場合に前記コンピュータに請求項１２から２２および請求項３６から４８のいずれか一項に記載の方法を実行させる命令が記憶されている非一時的機械可読記憶媒体。
【請求項５０】
プロセッサと、コンピュータプログラムを記憶するよう構成されているメモリとを含み、前記プロセッサは、前記メモリに記憶された前記コンピュータプログラムを実行して請求項１２から２２および請求項３６から４８のいずれか一項に記載の方法を実行するよう構成されている、端末装置。
【発明の詳細な説明】
【技術分野】
【０００１】
本開示は通信システム分野に関し、より詳細には無線通信装置および無線通信方法に関する。
【背景技術】
【０００２】
新しい無線通信（Ｎｅｗ  Ｒａｄｉｏ）ビークルツーエブリシング（ＮＲ−Ｖ２Ｘ）技術では、ユニキャスト、グループキャスト、およびブロードキャストのすべてがサポートされ、検討されている。ユニキャストでは、信頼性およびリソース効率を改善するため、フィードバックチャネルが必要になる。第１ユーザ機器（ｕｓｅｒ  ｅｑｕｉｐｍｅｎｔ）は、第２ユーザ機器の再送信を支援するためにいくつかの情報を第２ユーザ機器へフィードバックすることができる。ＮＲ−Ｖ２Ｘ技術では、フィードバックチャネルをどのように設計すべきかを考慮する必要がある。
【０００３】
それゆえ、フィードバックチャネルを使って信頼性およびリソース効率を改善することができる無線通信装置および無線通信方法を提案する必要がある。
【発明の概要】
【０００４】
本開示の目的は、フィードバックチャネルを使って信頼性およびリソース効率を改善することができる無線通信装置および無線通信方法を提案することである。
【０００５】
本開示の第１態様では、無線通信用の第１ユーザ機器は、メモリ、送受信部、ならびにメモリおよび送受信部と結合されたプロセッサを含む。プロセッサは、送受信部を制御して第２ユーザ機器からデータを受信して第２ユーザ機器からのデータの復号を実行するよう構成され、また送受信部を制御して第２ユーザ機器からのデータの復号に関連する復号状態に応じたフィードバック情報を第２ユーザ機器へ送信するよう構成される。
【０００６】
本開示の第２態様では、第１ユーザ機器の無線通信方法は、第２ユーザ機器からデータを受信することと、第２ユーザ機器からのデータを復号することと、第２ユーザ機器からのデータの復号に関連する復号状態に応じたフィードバック情報を第２ユーザ機器へ送信することと、を含む。
【０００７】
本開示の第３態様では、無線通信用の第２ユーザ機器は、メモリ、送受信部、ならびにメモリおよび送受信部と結合されたプロセッサを含む。プロセッサは、送受信部を制御してデータを第１ユーザ機器へ送信するよう構成され、また送受信部を制御してデータの復号に関連する復号状態に応じたフィードバック情報を第１ユーザ機器から受信するよう構成される。
【０００８】
本開示の第４態様では、第２ユーザ機器の無線通信方法は、データを第１ユーザ機器へ送信することと、データの復号に関連する復号状態に応じたフィードバック情報を第１ユーザ機器から受信することと、を含む。
【０００９】
本開示の第５態様では、非一時的機械可読記憶媒体には、コンピュータにより実行された場合にコンピュータに上記の方法を実行させる命令が記憶されている。
【００１０】
本開示の第６態様では、端末装置は、プロセッサと、コンピュータプログラムを記憶するよう構成されているメモリとを含む。プロセッサは、メモリに記憶されたコンピュータプログラムを実行して上記の方法を実行するよう構成されている。
【図面の簡単な説明】
【００１１】
本開示の実施形態または関連する技術をより明確に示すため、実施形態で説明される以下の図を簡潔に紹介する。図面は本開示の一部の実施形態に過ぎないことは明らかであり、当業者であれば前提を払うことなくこれらの図に従って他の図を得ることができる。
【００１２】
【図１】本開示の一実施形態に係る無線通信用の第１ユーザ機器および第２ユーザ機器のブロック図である。
【図２】本開示の一実施形態に係る第１ユーザ機器の無線通信方法を示すフローチャートである。
【図３】本開示の一実施形態に係る第２ユーザ機器の無線通信方法を示すフローチャートである。
【図４】本開示の一実施形態に係るユーザ機器の送信およびフィードバックの例示的な図の模式図である。
【図５】本開示の一実施形態に係るユーザ機器の送信およびフィードバックの例示的な図の模式図である。
【図６】本開示の一実施形態に係るフィードバックチャネル用の送信リソースの例示的な図の模式図である。
【図７】本開示の一実施形態に係るフィードバックチャネル用の送信リソースの例示的な図の模式図である。
【図８】本開示の一実施形態に係るフィードバックチャネル用の送信リソースの例示的な図の模式図である。
【図９】本開示の一実施形態に係る無線通信用のシステムのブロック図である。
【発明を実施するための形態】
【００１３】
本開示の実施形態について、添付の図面を参照し、技術的事項、構造的特徴、達成される目的、および効果とともに以下で詳細に説明する。特に、本開示の実施形態における用語は特定の実施形態の目的を説明するために過ぎず、本開示を制限するものではない。
【００１４】
図１は、一部の実施形態において、本開示の一実施形態に係る無線通信用の第１ユーザ機器（ＵＥ）１０および第２ユーザ機器２０が提供されることを示す。データ送信機ＵＥ２０はプロセッサ２１、メモリ２２、および送受信部２３を含みうる。データ受信機ＵＥ１０はプロセッサ１１、メモリ１２、および送受信部１３を含みうる。プロセッサ１１または２１は、本明細書に記載される、提案される機能、手順、および／または方法を実施するように構成されうる。無線インタフェースプロトコルの層はプロセッサ１１または２１内に実装されうる。メモリ１２または２２はプロセッサ１１または２１と動作可能に結合され、プロセッサ１１または２１を動作させるために様々な情報を記憶する。送受信部１３または２３はプロセッサ１１または２１と動作可能に結合され、送受信部１３または２３は無線信号を送信および／または受信する。
【００１５】
プロセッサ１１または２１は、特定用途向け集積回路（ＡＳＩＣ）、他のチップセット、論理回路および／またはデータ処理装置を含みうる。メモリ１２または２２は、読み出し専用メモリ（ＲＯＭ）、ランダムアクセスメモリ（ＲＡＭ）、フラッシュメモリ、メモリカード、記憶媒体および／または他の記憶装置を含みうる。送受信部１３または２３は、無線周波数の信号を処理するためにベースバンド回路を含みうる。実施形態がソフトウェアで実現される場合、本明細書に記載の技術は、本明細書に記載の機能を実行するモジュール（例えば手順、機能など）を用いて実装することができる。モジュールはメモリ１２または２２に記憶することができて、プロセッサ１１または２１により実行することができる。メモリ１２または２２はプロセッサ１１または２１の内部またはプロセッサ１１または２１の外部に実装することができて、メモリ１２または２２とプロセッサ１１または２１は当技術分野で既知の様々な手段を用いて通信可能に結合することができる。
【００１６】
ＵＥ間の通信は、３ｒｄ  ｇｅｎｅｒａｔｉｏｎ  ｐａｒｔｎｅｒｓｈｉｐ  ｐｒｏｊｅｃｔ  （３ＧＰＰ）のＲｅｌｅａｓｅ  １４、１５、１６およびそれ以降のもとで開発されたサイドリンク技術に基づく、車両間（Ｖ２Ｖ）、車両・歩行者間（Ｖ２Ｐ）、車両・インフラストラクチャ／ネットワーク間（Ｖ２Ｉ／Ｎ）を含む、ビークルツーエブリシング（Ｖ２Ｘ）通信に関する。ＵＥは、ＰＣ５インタフェースなどのサイドリンクインタフェースを介して、お互いに直接通信を行う。本開示の実施形態は、デバイス間（Ｄ２Ｄ）などのサイドリンク通信に基づく任意のシステムに適用することができる。
【００１７】
一部の実施形態では、プロセッサ１１は、送受信部１３を制御して第２ユーザ機器２０からデータを受信して第２ユーザ機器２０からのデータの復号を実行するよう構成され、また送受信部１３を制御して第２ユーザ機器２０からのデータの復号に関連する復号状態に応じたフィードバック情報を第２ユーザ機器２０へ送信するよう構成される。一部の実施形態では、フィードバック情報はシーケンスにより運ばれる。一部の実施形態では、フィードバック情報は、物理サイドリンクフィードバックチャネル（ＰＳＦＣＨ）などのフィードバックチャネルにより送信される。
【００１８】
一部の実施形態では、フィードバック情報はハイブリッド自動再送要求（ＨＡＲＱ）肯定応答（ＡＣＫ）またはＨＡＲＱ否定応答（ＮＡＣＫ）である。一部の実施形態では、シーケンスは、フィードバック情報、第１ユーザ機器１０の識別情報（ＩＤ）、第２ユーザ機器２０のＩＤ、第１ユーザ機器１０および第２ユーザ機器２０を含むグループのＩＤ、のうちの少なくとも一つに基づいて決定される。一部の実施形態では、第１ユーザ機器１０と第２ユーザ機器２０の間の通信はユニキャストまたはグループキャストを用いて行われる。通信はユニキャストである、というのは、ＰＳＣＣＨおよび／またはＰＳＳＣＨがただ一つのユーザ機器へ送信されることを意味する。通信はグループキャストである、というのは、ＰＳＣＣＨおよび／またはＰＳＳＣＨがユーザ機器のグループへ送信されることを意味する。一部の実施形態では、データはＰＳＳＣＨにより運ばれる。ＰＳＣＣＨはＰＳＳＣＨをスケジューリングするのに使用される。一部の実施形態では、第１ユーザ機器１０と第２ユーザ機器２０の間の通信がグループキャストを用いて行われる場合、シーケンスはフィードバック情報、第１ユーザ機器１０の識別情報（ＩＤ）、第２ユーザ機器２０のＩＤ、第１ユーザ機器１０および第２ユーザ機器２０を含むグループのＩＤ、のうちの少なくとも一つに基づいて決定される。一部の実施形態では、第１ユーザ機器または第２ユーザ機器のＩＤはセル無線ネットワーク一時識別子（Ｃ−ＲＮＴＩ）または識別情報であり、グループ内でＵＥを識別するのに使用される。例えば、グループ内に４つのＵＥが存在し、グループ内の各ＵＥのＩＤは個別に０、１、２、３である。
【００１９】
一部の実施形態では、フィードバック情報は１つの直交周波数分割多重（ＯＦＤＭ）シンボルで送信され、この１つのＯＦＤＭシンボルはガード期間（ＧＰ）として使用されるＯＦＤＭシンボルと隣接する。一部の実施形態では、この１つのＯＦＤＭシンボルはサブフレームおよび／またはスロットの最後から２番目のＯＦＤＭシンボルであり、最後のＯＦＤＭシンボルはＧＰとして使用される。一部の実施形態では、この１つのＯＦＤＭシンボルはサブフレームおよび／またはスロットの最後から３番目のＯＦＤＭシンボルであり、最後および最後から２番目のＯＦＤＭシンボルはＧＰとして使用される。一部の実施形態では、この１つのＯＦＤＭシンボルはサブフレームおよび／またはスロットの最後のＯＦＤＭシンボルであり、最後のＯＦＤＭシンボルはＧＰとして使用することもできる。一部の実施形態では、フィードバック情報は２つの隣接するＯＦＤＭシンボルで繰り返し送信され、２つの隣接するＯＦＤＭシンボルのうちのフィードバック情報を含む第２ＯＦＤＭシンボルはＧＰとして使用されるＯＦＤＭシンボルと隣接する。２つの隣接するＯＦＤＭシンボルとは、例えばサブフレームおよび／またはスロットの最後から２番目および最後から３番目のＯＦＤＭシンボルなどである。２つの隣接するＯＦＤＭシンボルは再送されるフィードバック情報を運ぶ。さらに、２つの隣接するＯＦＤＭシンボルのうちの第１ＯＦＤＭシンボルは、自動利得制御（ＡＧＣ）シンボルとして使用することができる。
【００２０】
一部の実施形態では、第２ユーザ機器からのデータは物理サイドリンク共有チャネル（ＰＳＳＣＨ）により運ばれ、フィードバック情報は同一のサブフレーム内および／または同一のスロット内の、または、異なるサブフレーム内および／または異なるスロット内のＰＳＳＣＨに対応する。一部の実施形態では、フィードバック情報はフィードバックチャネルにより運ばれ、フィードバックチャネルの送信リソースは物理サイドリンク制御チャネル（ＰＳＣＣＨ）もしくはＰＳＳＣＨの送信リソースにより決定される、またはＰＳＣＣＨにより示される。一部の実施形態では、フィードバックチャネルの周波数リソースの数はＰＳＳＣＨの周波数リソースの数と同じである、またはフィードバックチャネルの周波数リソースの数はＰＳＳＣＨに関連するＰＳＣＣＨの周波数リソースの数と同じである、またはフィードバックチャネルの周波数リソースの数はあらかじめ設定される、もしくはネットワークにより設定される。周波数リソースは物理リソースブロック（ＰＲＢ）またはサブチャネルを単位とする。一部の実施形態では、フィードバックチャネルの周波数開始位置はＰＳＣＣＨまたはＰＳＳＣＨの周波数開始位置と同じである。一部の実施形態では、フィードバックチャネルの周波数終了位置はＰＳＣＣＨまたはＰＳＳＣＨの周波数終了位置と同じである。一部の実施形態では、フィードバック情報はフィードバック情報がマップされるＯＦＤＭシンボルのＮ個のリソース要素（ＲＥ）につき１つのＲＥにマップされる。一部の実施形態では、フィードバックチャネルの周波数長はあらかじめ設定される、またはネットワークにより設定される。一部の実施形態では、フィードバックチャネルを含むサブフレームまたはスロットとＰＳＣＣＨまたはＰＳＳＣＨを含むサブフレームまたはスロットの間のタイミングギャップはあらかじめ設定される、またはネットワークにより設定される。一部の実施形態では、ＰＳＣＣＨはフィードバックチャネルの時間および／または周波数リソースを示す。
【００２１】
一部の実施形態では、プロセッサ２１は送受信部２３を制御して第１ユーザ機器１０へデータを送信するよう構成され、また送受信部２３を制御してデータの復号に関連する復号状態に応じたフィードバック情報を第１ユーザ機器１０から受信するよう構成される。一部の実施形態では、フィードバック情報はシーケンスにより運ばれる。一部の実施形態では、フィードバック情報は、物理サイドリンクフィードバックチャネル（ＰＳＦＣＨ）などのフィードバックチャネルにより送信される。
【００２２】
一部の実施形態では、プロセッサ２１は、シーケンスを検出して、第２ユーザ機器２０自身へ送信されたフィードバック情報があるかどうか、およびフィードバック情報を誰が送信したのかを検出に基づいて判定するよう構成される。詳細には、検出は局所的シーケンスと第２ユーザ機器が受信した信号との間の相互相関により行われる。
【００２３】
一部の実施形態では、フィードバックに対して、第１ユーザ機器１０は送信ユーザ機器であり、第２ユーザ機器２０は受信ユーザ機器である。ＰＳＣＣＨおよび／またはＰＳＳＣＨに対して、第１ユーザ機器１０は受信ユーザ機器であり、第２ユーザ機器２０は送信ユーザ機器である。一部の実施形態では、第２ユーザ機器からのデータはＰＳＳＣＨにより運ばれる。ＰＳＣＣＨはＰＳＳＣＨをスケジューリングするのに使用される。フィードバック情報はデータの復号に関連する復号状態に対応し、フィードバックチャネルにより運ばれる。
【００２４】
図２は、本開示の一実施形態に係る第１ユーザ機器の無線通信方法２００を示す。一部の実施形態では、方法２００は、ブロック２０２で第２ユーザ機器からデータを受信することと、ブロック２０４で第２ユーザ機器からのデータの復号を実行することと、ブロック２０６で第２ユーザ機器からのデータの復号に関連する復号状態に応じたフィードバック情報を第２ユーザ機器へ送信することと、を含む。一部の実施形態では、フィードバック情報はシーケンスにより運ばれる。一部の実施形態では、シーケンスは、物理サイドリンクフィードバックチャネル（ＰＳＦＣＨ）などのフィードバックチャネルにより送信される。
【００２５】
一部の実施形態では、フィードバック情報はハイブリッド自動再送要求（ＨＡＲＱ）肯定応答（ＡＣＫ）またはＨＡＲＱ否定応答（ＮＡＣＫ）である。一部の実施形態では、シーケンスは、フィードバック情報、第１ユーザ機器１０の識別情報（ＩＤ）、第２ユーザ機器２０のＩＤ、第１ユーザ機器１０および第２ユーザ機器２０を含むグループのＩＤ、のうちの少なくとも一つに基づいて決定される。一部の実施形態では、第１ユーザ機器１０と第２ユーザ機器２０の間の通信はユニキャストまたはグループキャストを用いて行われる。通信はユニキャストである、というのは、ＰＳＣＣＨおよび／またはＰＳＳＣＨがただ一つのユーザ機器へ送信されることを意味する。通信はグループキャストである、というのは、ＰＳＣＣＨおよび／またはＰＳＳＣＨがユーザ機器のグループへ送信されることを意味する。一部の実施形態では、データはＰＳＳＣＨにより運ばれる。ＰＳＣＣＨはＰＳＳＣＨをスケジューリングするのに使用される。一部の実施形態では、第１ユーザ機器１０と第２ユーザ機器２０の間の通信がグループキャストを用いて行われる場合、シーケンスはフィードバック情報、第１ユーザ機器１０の識別情報（ＩＤ）、第２ユーザ機器２０のＩＤ、第１ユーザ機器１０および第２ユーザ機器２０を含むグループのＩＤ、のうちの少なくとも一つに基づいて決定される。一部の実施形態では、第１ユーザ機器または第２ユーザ機器のＩＤはセル無線ネットワーク一時識別子（Ｃ−ＲＮＴＩ）または識別情報であり、グループ内でＵＥを識別するのに使用される。例えば、グループ内に４つのＵＥが存在し、グループ内の各ＵＥのＩＤは個別に０、１、２、３である。一部の実施形態では、フィードバック情報は１つの直交周波数分割多重（ＯＦＤＭ）シンボルで送信され、この１つのＯＦＤＭシンボルはガード期間として使用されるＯＦＤＭシンボルと隣接する。一部の実施形態では、フィードバック情報は２つの隣接するＯＦＤＭシンボルで繰り返し送信され、２つの隣接するＯＦＤＭシンボルのうちのフィードバック情報を含む第２ＯＦＤＭシンボルはガード期間として使用されるＯＦＤＭシンボルと隣接する。一部の実施形態では、この１つのＯＦＤＭシンボルはサブフレームおよび／またはスロットの最後から３番目のＯＦＤＭシンボルであり、最後および最後から２番目のＯＦＤＭシンボルはＧＰとして使用される。一部の実施形態では、この１つのＯＦＤＭシンボルはサブフレームおよび／またはスロットの最後のＯＦＤＭシンボルであり、最後のＯＦＤＭシンボルはＧＰとして使用することもできる。２つの隣接するＯＦＤＭシンボルとは、例えばサブフレームおよび／またはスロットの最後から２番目および最後から３番目のＯＦＤＭシンボルなどである。２つの隣接するＯＦＤＭシンボルは再送されるシーケンスである。さらに、２つの隣接するＯＦＤＭシンボルのうちの第１ＯＦＤＭシンボルは、ＡＧＣシンボルとして使用することができる。
【００２６】
一部の実施形態では、第２ユーザ機器からのデータは物理サイドリンク共有チャネル（ＰＳＳＣＨ）により運ばれ、フィードバック情報は同一のサブフレーム内および／または同一のスロット内の、または、異なるサブフレーム内および／または異なるスロット内のＰＳＳＣＨに対応する。一部の実施形態では、フィードバック情報はフィードバックチャネルにより運ばれ、フィードバックチャネルの送信リソースは物理サイドリンク制御チャネル（ＰＳＣＣＨ）もしくはＰＳＳＣＨの送信リソースにより決定される、またはＰＳＣＣＨにより示される。一部の実施形態では、フィードバックチャネルの周波数リソースの数はＰＳＳＣＨの周波数リソースの数と同じである、またはフィードバックチャネルの周波数リソースの数はＰＳＳＣＨに関連するＰＳＣＣＨの周波数リソースの数と同じである、またはフィードバックチャネルの周波数リソースの数はあらかじめ設定される、もしくはネットワークにより設定される。周波数リソースは物理リソースブロック（ＰＲＢ）またはサブチャネルを単位とする。
【００２７】
一部の実施形態では、フィードバックチャネルの周波数開始位置はＰＳＣＣＨまたはＰＳＳＣＨの周波数開始位置と同じである。一部の実施形態では、フィードバックチャネルの周波数終了位置はＰＳＣＣＨまたはＰＳＳＣＨの周波数終了位置と同じである。一部の実施形態では、フィードバック情報はフィードバック情報がマップされるＯＦＤＭシンボルのＮ個のリソース要素（ＲＥ）につき１つのＲＥにマップされる。一部の実施形態では、フィードバックチャネルの周波数長はあらかじめ設定される、またはネットワークにより設定される。一部の実施形態では、フィードバックチャネルを含むサブフレームまたはスロットとＰＳＣＣＨまたはＰＳＳＣＨを含むサブフレームまたはスロットの間のタイミングギャップはあらかじめ設定される、またはネットワークにより設定される。一部の実施形態では、ＰＳＣＣＨはフィードバックチャネルの時間および／または周波数リソースを示す。
【００２８】
図３は、本開示の一実施形態に係る第２ユーザ機器の無線通信方法３００を示す。一部の実施形態では、方法３００は、ブロック３０２でデータを第１ユーザ機器へ送信することと、ブロック３０４でデータの復号に関連する復号状態に応じたフィードバック情報を第１ユーザ機器から受信することと、を含む。一部の実施形態では、フィードバック情報はシーケンスにより運ばれる。一部の実施形態では、シーケンスは、物理サイドリンクフィードバックチャネル（ＰＳＦＣＨ）などのフィードバックチャネルにより送信される。
【００２９】
一部の実施形態では、フィードバック情報はハイブリッド自動再送要求（ＨＡＲＱ）肯定応答（ＡＣＫ）またはＨＡＲＱ否定応答（ＮＡＣＫ）である。一部の実施形態では、シーケンスは、フィードバック情報、第１ユーザ機器１０の識別情報（ＩＤ）、第２ユーザ機器２０のＩＤ、第１ユーザ機器１０および第２ユーザ機器２０を含むグループのＩＤ、のうちの少なくとも一つに基づいて決定される。一部の実施形態では、第１ユーザ機器１０と第２ユーザ機器２０の間の通信はユニキャストまたはグループキャストを用いて行われる。通信はユニキャストである、というのは、ＰＳＣＣＨおよび／またはＰＳＳＣＨがただ一つのユーザ機器へ送信されることを意味する。通信はグループキャストである、というのは、ＰＳＣＣＨおよび／またはＰＳＳＣＨがユーザ機器のグループへ送信されることを意味する。一部の実施形態では、データはＰＳＳＣＨにより運ばれる。ＰＳＣＣＨはＰＳＳＣＨをスケジューリングするのに使用される。一部の実施形態では、第１ユーザ機器１０と第２ユーザ機器２０の間の通信がグループキャストを用いて行われる場合、シーケンスはフィードバック情報、第１ユーザ機器１０の識別情報（ＩＤ）、第２ユーザ機器２０のＩＤ、第１ユーザ機器１０および第２ユーザ機器２０を含むグループのＩＤ、のうちの少なくとも一つに基づいて決定される。一部の実施形態では、第１ユーザ機器または第２ユーザ機器のＩＤはセル無線ネットワーク一時識別子（Ｃ−ＲＮＴＩ）または識別情報であり、グループ内でＵＥを識別するのに使用される。例えば、グループ内に４つのＵＥが存在し、グループ内の各ＵＥのＩＤは個別に０、１、２、３である。一部の実施形態では、フィードバック情報は１つの直交周波数分割多重（ＯＦＤＭ）シンボルで送信され、この１つのＯＦＤＭシンボルはガード期間として使用されるＯＦＤＭシンボルと隣接する。一部の実施形態では、フィードバック情報は２つの隣接するＯＦＤＭシンボルで繰り返し送信され、２つの隣接するＯＦＤＭシンボルのうちのフィードバック情報を含む第２ＯＦＤＭシンボルはガード期間として使用されるＯＦＤＭシンボルと隣接する。一部の実施形態では、この１つのＯＦＤＭシンボルはサブフレームおよび／またはスロットの最後から３番目のＯＦＤＭシンボルであり、最後および最後から２番目のＯＦＤＭシンボルはＧＰとして使用される。一部の実施形態では、この１つのＯＦＤＭシンボルはサブフレームおよび／またはスロットの最後のＯＦＤＭシンボルであり、最後のＯＦＤＭシンボルはＧＰとして使用することもできる。２つの隣接するＯＦＤＭシンボルとは、例えばサブフレームおよび／またはスロットの最後から２番目および最後から３番目のＯＦＤＭシンボルなどである。２つの隣接するＯＦＤＭシンボルは再送されるシーケンスである。さらに、２つの隣接するＯＦＤＭシンボルのうちの第１ＯＦＤＭシンボルは、ＡＧＣシンボルとして使用することができる。
【００３０】
一部の実施形態では、第２ユーザ機器からのデータは物理サイドリンク共有チャネル（ＰＳＳＣＨ）により運ばれ、フィードバック情報は同一のサブフレーム内および／または同一のスロット内の、または、異なるサブフレーム内および／または異なるスロット内のＰＳＳＣＨに対応する。一部の実施形態では、フィードバック情報はフィードバックチャネルにより運ばれ、フィードバックチャネルの送信リソースは物理サイドリンク制御チャネル（ＰＳＣＣＨ）もしくはＰＳＳＣＨの送信リソースにより決定される、またはＰＳＣＣＨにより示される。一部の実施形態では、フィードバックチャネルの周波数リソースの数はＰＳＳＣＨの周波数リソースの数と同じである、またはフィードバックチャネルの周波数リソースの数はＰＳＳＣＨに関連するＰＳＣＣＨの周波数リソースの数と同じである、またはフィードバックチャネルの周波数リソースの数はあらかじめ設定される、もしくはネットワークにより設定される。周波数リソースは物理リソースブロック（ＰＲＢ）またはサブチャネルを単位とする。
【００３１】
一部の実施形態では、フィードバックチャネルの周波数開始位置はＰＳＣＣＨまたはＰＳＳＣＨの周波数開始位置と同じである。一部の実施形態では、フィードバックチャネルの周波数終了位置はＰＳＣＣＨまたはＰＳＳＣＨの周波数終了位置と同じである。一部の実施形態では、フィードバック情報はフィードバック情報がマップされるＯＦＤＭシンボルのＮ個のリソース要素（ＲＥ）につき１つのＲＥにマップされる。一部の実施形態では、フィードバックチャネルの周波数長はあらかじめ設定される、またはネットワークにより設定される。一部の実施形態では、フィードバックチャネルを含むサブフレームまたはスロットとＰＳＣＣＨまたはＰＳＳＣＨを含むサブフレームまたはスロットの間のタイミングギャップはあらかじめ設定される、またはネットワークにより設定される。一部の実施形態では、ＰＳＣＣＨはフィードバックチャネルの時間および／または周波数リソースを示す。
【００３２】
一部の実施形態では、方法３００は、シーケンスを検出することと、第２ユーザ機器自身へ送信されたフィードバック情報があること、およびフィードバック情報を誰が送信したのかを検出に基づいて判定することと、をさらに含む。一部の実施形態では、検出は局所的シーケンスと第２ユーザ機器が受信した信号との間の相互相関により実行される。
【００３３】
図４は、本開示の一実施形態に係るユーザ機器の送信およびフィードバックの例示的な図である。図４は、一部の実施形態において、２つのＵＥ１、ＵＥ２はユニキャスト通信を行うことを示す。ＵＥ２はユニキャストデータをＵＥ１へ送信し、ＵＥ１は復号状態に基づいてＡＣＫまたはＮＡＣＫをＵＥ２へフィードバックする必要がある。ＡＣＫ（またはＮＡＣＫ）は特定のシーケンスにより運ぶことができる。以下の説明はＵＥ１からＵＥ２へのフィードバックＡＣＫに基づいており、ＵＥ１からＵＥ２へのフィードバックＮＡＣＫにも適用することが可能である。一部の実施形態では、特定のシーケンスは、物理サイドリンクフィードバックチャネル（ＰＳＦＣＨ）などのフィードバックチャネルにより送信される。
【００３４】
一部の実施形態では、ＵＥ２、ＵＥ１のいずれかは、いくつかの同時ユニキャスト送信に関わることがある。例えば、図５は、一部の実施形態においてＵＥ２はＵＥ１およびＵＥ３と別々にユニキャスト通信を行い、ＵＥ１はＵＥ２およびＵＥ４と別々にユニキャスト通信を行うことを示す。ＵＥ１がＡＣＫまたはＮＡＣＫをＵＥ１へフィードバックしたい場合、自分（すなわちＵＥ１）のＩＤおよび標的受信機（すなわちＵＥ２）を運んで複数のフィードバックチャネルを差別化する必要がある。その結果、ＵＥ２およびＵＥ１のＩＤに基づき、ＵＥ２は、フィードバックが自分に対してなのかどうか、また誰がフィードバック情報を送信しているのかを判定することができる。
【００３５】
フィードバック情報（例えばＡＣＫ）は特定のシーケンスにより運ぶことができる。一部の実施形態では、特定のシーケンスは、物理サイドリンクフィードバックチャネル（ＰＳＦＣＨ）などのフィードバックチャネルにより送信される。送信機および／または標的受信機のＩＤも特定のシーケンスにより運ぶことができる。これは、特定のシーケンスはフィードバック情報（例えばＡＣＫ）および／または送信機のＩＤ（例えば、フィードバック情報の送信機であるＵＥ１のセル無線ネットワーク一時識別子（Ｃ−ＲＮＴＩ））および／または標的受信機のＩＤ（例えば、フィードバック情報の標的受信機であるＵＥ２のＣ−ＲＮＴＩ）により生成される、または、決定されることを意味する。フィードバックチャネルの受信機側（すなわちＵＥ２）では、対応する送信機（すなわちＵＥ１）により送信されたフィードバック情報（例えばＡＣＫ）があるかどうかを検出することができる。例えば、ＵＥ２はデータをＵＥ１へ送信して、ＵＥ１からのフィードバックを期待する。そして、ＵＥ２はフィードバック情報（例えばＡＣＫ）、および／または、送信機のＩＤ（例えばＵＥ１のＣ−ＲＮＴＩ）、および／または、標的受信機のＩＤ（例えばＵＥ２のＣ−ＲＮＴＩ）に基づいて対応するシーケンスを生成することができる。ＵＥ２は、生成された局所的シーケンスと受信した信号の相互相関を取って、ＵＥ１からＵＥ２自身へ送信されたフィードバック情報（例えばＡＣＫ）があるかどうかを判定することができる。例えば、ＵＥ２は、相互相関演算のピーク対平均比が閾値を上回る場合にＵＥ１により送信されたＡＣＫがあると判定することができる。閾値はあらかじめ設定する、またはネットワークにより設定することができる。
【００３６】
ＡＣＫまたはＮＡＣＫ（または他の情報）をシーケンスで示すことができるかどうかは、あらかじめ設定する、または仕様であらかじめ規定する、またはネットワークにより設定することができる。例えば、ＡＣＫがあるシーケンスで示されるように構成され、ＮＡＣＫが別のシーケンスで示されるように構成される。別の例では、シーケンスは関数または多項式に基づいて生成され、フィードバック情報、および／または、送信機ＵＥのＩＤ、および／または、受信機ＵＥのＩＤが、関数または多項式への入力要素である。ＵＥがＡＣＫをフィードバックしたい場合、ＵＥはＡＣＫ情報、送信機のＩＤおよび標的受信機のＩＤに基づいてシーケンスを生成することができる。ＵＥがそのようなシーケンスを（例えば局所的シーケンスと受信信号の間の相互相関により）検出することができる場合、ＵＥは、自身へ送信されたＡＣＫがあると判定することができて、さらにＵＥは誰がＡＣＫを送信したかを判定することができる。
【００３７】
この方式はユニキャストおよびグループキャスト／マルチキャストの両方に適用することができる。ユニキャストでは、たった一つのＵＥがフィードバックを行う必要がある。一方、グループキャストでは、いくつかのＵＥがフィードバックを行う必要がある。各ＵＥでは、フィードバック情報、および／または、自分のＩＤ、および／または、標的受信機のＩＤ、および／または、グループのＩＤに基づいてシーケンスを生成することができる。フィードバック情報の受信機側では、ＵＥは多数のＵＥからの異なるシーケンスに基づくフィードバックを別々に検出することができる。各シーケンス検出に対して、前述の方法を使用することができる。
【００３８】
フィードバックシーケンスはただ一つのＯＦＤＭシンボルで送信することができる。例えば、シーケンスはシンボルおよび／またはスロットの最後から２番目のシンボルで送信される。さらに、図６に示されるように、最後のシンボルをガード期間（ＧＰ）として使用することができる。
【００３９】
このサブフレームおよび／またはスロットにおいて、ＰＳＣＣＨおよび／またはＰＳＳＣＨはサブフレームおよび／またはスロットの先頭で送信される。フィードバックは最後から２番目のシンボルで送信される。フィードバックシンボルと隣接するシンボルはＧＰとして使用される。
【００４０】
あるいは、フィードバックシーケンスは、図７および図８で示されるように、サブフレームおよび／またはスロットの最後のＯＦＤＭシンボルで送信することができる。シーケンスはＮ個のリソース要素につき１つのリソース要素を占めるのみであり、図７ではＮ＝２、図８ではＮ＝３である。物理リソースブロック（ＰＲＢ）内でフィードバックシーケンスに使用されるリソース要素（ＲＥ）は、あらかじめ設定する、あらかじめ規定する、またはネットワークにより設定することができる。
【００４１】
シーケンスがＮ個のリソース要素ごとに送信されて残りのリソース要素が空である場合、シーケンスの波形は時間領域において１つのＯＦＤＭシンボルの時間内にＮ回繰り返される。時間領域においては複数の波形のうち１つだけを送信することができて、その他は０に設定することができて、何もＧＰとして送信されず、使用もされない。例えば、図８で、最後のＯＦＤＭシンボル上の信号が時間領域へ変換されると、この信号は３回再送されることになる。最初のものと最後のものはＧＰとして、またはスイッチングギャップとして送信も使用もされず、２番目のものだけを送信することができる。これにより、リソース効率を改善することができる。
【００４２】
フィードバックチャネルは、同一のサブフレーム内のＰＳＳＣＨに対応しうる。この場合、フィードバックチャネルの周波数リソースは、ＰＳＳＣＨまたはＰＳＣＣＨと関連しうる。例えば、フィードバックチャネルの周波数リソースの数は、ＰＳＳＣＨの周波数リソースの数と同じでありうる。または、フィードバックチャネルの周波数リソースの数は、ＰＳＳＣＨに関連するＰＳＣＣＨの周波数リソースの数と同じでありうる。または、フィードバックチャネルの周波数リソースの数はあらかじめ設定される、またはネットワークにより設定される。フィードバックチャネルの周波数開始位置はＰＳＣＣＨもしくはＰＳＳＣＨの周波数開始位置と同じである、または、フィードバックチャネルの周波数終了位置はＰＳＣＣＨもしくはＰＳＳＣＨの周波数終了位置と同じである。周波数リソースは物理リソースブロック（ＰＲＢ）またはサブチャネルを単位とする。一部の実施形態では、フィードバック情報はフィードバック情報がマップされるＯＦＤＭシンボルのＮ個のリソース要素（ＲＥ）につき１つのＲＥにマップされる。一部の実施形態では、フィードバックチャネルを含むサブフレームまたはスロットとＰＳＣＣＨまたはＰＳＳＣＨを含むサブフレームまたはスロットの間のタイミングギャップはあらかじめ設定される、またはネットワークにより設定される。一部の実施形態では、ＰＳＣＣＨはフィードバックチャネルの時間および／または周波数リソースを示す。
【００４３】
あるいは、フィードバックチャネルの周波数開始位置はＰＳＣＣＨもしくはＰＳＳＣＨの周波数開始位置と同じである、または、フィードバックチャネルの周波数終了位置はＰＳＣＣＨもしくはＰＳＳＣＨの周波数終了位置と同じであり、フィードバックチャネルの周波数長はあらかじめ設定される、またはネットワークにより設定される。一部の実施形態では、フィードバック情報はフィードバック情報がマップされるＯＦＤＭシンボルのＮ個のリソース要素（ＲＥ）につき１つのＲＥにマップされる。一部の実施形態では、フィードバックチャネルを含むサブフレームまたはスロットとＰＳＣＣＨまたはＰＳＳＣＨを含むサブフレームまたはスロットの間のタイミングギャップはあらかじめ設定される、またはネットワークにより設定される。一部の実施形態では、ＰＳＣＣＨはフィードバックチャネルの時間および／または周波数リソースを示す。
【００４４】
サブフレーム内のフィードバックチャネルは別のサブフレーム内のＰＳＳＣＨにも対応しうる。さらに、この場合は、フィードバックチャネルのリソースはデータ送信機（すなわち図４のＵＥ２）により示すことができる、またはデータ受信機（すなわち図４のＵＥ１）により自律的に選択することができる。フィードバックチャネルのリソースは送信機により示すことができて、フィードバックチャネルの時間および／または周波数リソースは送信機により示すことができる。時間リソースに対しては、時間領域におけるフィードバックチャネルの開始位置、フィードバックチャネルに使用されるサブフレームインデックスまたはスロットインデックス、フィードバックチャネル用のサブフレームおよび／またはスロットとＰＳＳＣＨサブフレームの間のオフセット、などの情報を示すことができる。周波数リソースに対しては、フィードバックチャネルの開始位置、最も小さなＰＲＢインデックスまたはサブチャネルインデックス、周波数リソースの長さ、フィードバックチャネルに使用されるＰＲＢまたはサブチャネルの数、などの情報を示すことができる。
【００４５】
グループキャストでは、フィードバックを行いたい多数のＵＥは、同じリソース内で多重化された符号分割多重化（ＣＤＭ）でありうる。多数のＵＥのシーケンスは、送信機のＩＤが異なるため、異なる。
【００４６】
図７や図８のように、フィードバックチャネルが１つのＯＦＤＭシンボル内で１／Ｎ  ＲＥを占める場合、多数のＵＥのフィードバックチャネルは、そのＯＦＤＭシンボル内で周波数分割多重化（ＦＤＭ）およびＣＤＭでありうる。例えば、図５のＵＥ１はＰＲＢの偶数のＲＥを使用し、図５のＵＥ３は同じＰＲＢの奇数のＲＥを使用する。
【００４７】
図９は、本開示の一実施形態に係る無線通信用の例示のシステム７００のブロック図である。本明細書に記載の実施形態は、任意の適切に構成されたハードウェアおよび／またはソフトウェアを使ってシステムへ実装しうる。図９は、少なくとも示されているようにお互い結合されている、無線周波数（ＲＦ）回路７１０、ベースバンド回路７２０、応用回路７３０、メモリ／記憶装置７４０、ディスプレイ７５０、カメラ７６０、センサ７７０、および入力／出力（Ｉ／Ｏ）インタフェース７８０を含むシステム７００を示す。
【００４８】
応用回路７３０は、限定されないが、１つまたは複数のシングルコアもしくはマルチコアのプロセッサなどの回路を含みうる。プロセッサは、汎用プロセッサと専用プロセッサ、例えばグラフィックスプロセッサやアプリケーションプロセッサ、の任意の組み合わせを含みうる。プロセッサはメモリ／記憶装置と結合することができて、またメモリ／記憶装置に記憶された命令を実行してシステム上で様々なアプリケーションおよび／またはオペレーティングシステムが動作できるように構成することができる。
【００４９】
ベースバンド回路７２０は、限定されないが、１つまたは複数のシングルコアもしくはマルチコアのプロセッサなどの回路を含みうる。プロセッサはベースバンドプロセッサを含みうる。ベースバンド回路は、ＲＦ回路を介した１つまたは複数の無線ネットワークとの通信を可能とする様々な無線制御機能に対処しうる。無線制御機能は、限定されないが、信号変調、符号化、復号化、無線周波数シフトなどを含みうる。一部の実施形態では、ベースバンド回路は１つまたは複数の無線技術と互換性のある通信を提供しうる。例えば、一部の実施形態では、ベースバンド回路はＥｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＥＵＴＲＡＮ）、および／または、他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートしうる。ベースバンド回路が２つ以上の無線プロトコルの無線通信をサポートするよう構成されている実施形態は、マルチモードベースバンド回路と呼ばれることがある。
【００５０】
様々な実施形態では、ベースバンド回路７２０は、厳密にはベースバンド周波数であるとはみなされない信号で動作するための回路を含みうる。例えば、一部の実施形態では、ベースバンド回路は、ベースバンド周波数と無線周波数の間である中間周波数を有する信号で動作するための回路を含みうる。
【００５１】
ＲＦ回路７１０は、非固体媒質を介した変調電磁放射を使って無線ネットワークとの通信を可能にしうる。様々な実施形態では、ＲＦ回路は無線ネットワークとの通信を容易にするためにスイッチ、フィルタ、増幅器、などを含みうる。
【００５２】
様々な実施形態では、ＲＦ回路７１０は、厳密には無線周波数であるとはみなされない信号で動作するための回路を含みうる。例えば、一部の実施形態では、ＲＦ回路は、ベースバンド周波数と無線周波数の間である中間周波数を有する信号で動作するための回路を含みうる。
【００５３】
様々な実施形態では、ユーザ機器、ｅＮＢ、またはｇＮＢに関して上述された送信回路、制御回路、または受信回路は、全体または一部が、ＲＦ回路、ベースバンド回路、および／または応用回路のうちの１つまたは複数において具現化されうる。本明細書で使用される場合、「回路」は、１つまたは複数のソフトウェアもしくはファームウェアプログラムを実行する特定用途向け集積回路（ＡＳＩＣ）、電子回路、プロセッサ（共有、専用、またはグループ）、および／または、メモリ（共有、専用、またはグループ）、組み合わせ論理回路、および／または、記載した機能性を提供する他の適切なハードウェア構成要素を指しうる、もしくはその一部でありうる、またはそれらを含みうる。一部の実施形態では、電子デバイス回路は１つまたは複数のソフトウェアもしくはファームウェアモジュール内で実現されうる、あるいは電子デバイス回路に関連する機能が１つまたは複数のソフトウェアもしくはファームウェアにより実現されうる。
【００５４】
一部の実施形態では、ベースバンド回路、応用回路、および／またはメモリ／記憶装置の構成要素の一部またはすべては、システムオンチップ（ＳＯＣ）上に共に実装されうる。
【００５５】
メモリ／記憶装置７４０は例えばシステム用のデータおよび／または命令をロードおよび記憶するのに使用されうる。一実施形態向けのメモリ／記憶装置は、ダイナミックランダムアクセスメモリ（ＤＲＡＭ）などの適切な揮発性メモリおよび／またはフラッシュメモリなどの適切な不揮発性メモリの任意の組み合わせを含みうる。
【００５６】
様々な実施形態では、Ｉ／Ｏインタフェース７８０は、ユーザのシステムとのインタラクションを可能とするよう設計されている１つもしくは複数のユーザインタフェース、および／または、周辺構成要素とシステムとのインタラクションを可能とするよう設計されている周辺構成要素インタフェースを含みうる。ユーザインタフェースは、限定されないが、物理キーボードもしくはキーパッド、タッチパッド、スピーカ、マイクなどを含みうる。周辺構成要素インタフェースは、限定されないが、不揮発性メモリポート、ユニバーサルシリアルバス（ＵＳＢ）ポート、オーディオジャック、および電源インタフェースを含みうる。
【００５７】
様々な実施形態では、センサ７７０は、システムに関連する環境条件および／また位置情報を判定するために１つまたは複数の検出デバイスを含みうる。一部の実施形態では、センサは、限定されないが、ジャイロセンサ、加速度計、近接センサ、環境光センサ、および測位ユニットを含みうる。また、測位ユニットは、全地球測位システム（ＧＰＳ）衛星などの測位ネットワークの構成要素と通信するためにベースバンド回路および／またはＲＦ回路の一部でありうる、またはそれらとインタラクションを行いうる。
【００５８】
様々な実施形態では、ディスプレイ７５０は、液晶ディスプレイやタッチスクリーンディスプレイなどのディスプレイを含みうる。様々な実施形態では、システム７００は、限定されないが、ラップトップ型コンピュータ装置、タブレット型コンピュータ装置、ネットブック、ｕｌｔｒａｂｏｏｋ、スマートフォンなどの携帯用コンピュータ装置でありうる。様々な実施形態では、システムは、より多くの、もしくはより少ない構成要素、および／または異なるアーキテクチャを有することがある。適切な場合、本明細書に記載の方法はコンピュータプログラムとして実現されうる。コンピュータプログラムは、非一時的記憶媒体などの記憶媒体上に記憶することができる。
【００５９】
要約すると、本開示の一部の実施形態では、フィードバックチャネルは以下のようにすることができる。
【００６０】
１.フィードバックチャネルのシーケンスはＡＣＫまたはＮＡＣＫを運ぶのに使用される。
【００６１】
２.シーケンスは、フィードバック情報、第１ユーザ機器の識別情報（ＩＤ）、第２ユーザ機器のＩＤ、第１ユーザ機器および第２ユーザ機器を含むグループのＩＤ、のうちの少なくとも一つに基づいて決定される。
【００６２】
３.フィードバック情報は１つの直交周波数分割多重（ＯＦＤＭ）シンボルで送信され、この１つのＯＦＤＭシンボルはＧＰとして使用されるＯＦＤＭシンボルと隣接する。一部の実施形態では、フィードバック情報は２つの隣接するＯＦＤＭシンボルで繰り返し送信され、２つの隣接するＯＦＤＭシンボルのうちのフィードバック情報を含む第２ＯＦＤＭシンボルはＧＰとして使用されるＯＦＤＭシンボルと隣接する。２つの隣接するＯＦＤＭシンボルとは、例えばサブフレームおよび／またはスロットの最後から２番目および最後から３番目のＯＦＤＭシンボルなどである。２つの隣接するＯＦＤＭシンボルは再送されるフィードバック情報を運ぶ。さらに、２つの隣接するＯＦＤＭシンボルのうちの第１ＯＦＤＭシンボルは、ＡＧＣシンボルとして使用することができる。
【００６３】
４.フィードバックチャネルは、同一のスロット内または異なるスロット内のＰＳＳＣＨに対応しうる。
【００６４】
５.フィードバックチャネルの送信リソースは、ＰＳＣＣＨまたはＰＳＳＣＨの送信リソースにより決定することができる、またはＰＳＣＣＨにより示すことができる。
【００６５】
６.これはユニキャストおよびグループキャストの両方に適用することができる。
【００６６】
本開示の実施形態は、最終製品を作るために３ＧＰＰ仕様で採用することができる技術／プロセスの組み合わせである。
【００６７】
当業者は、本開示の実施形態で記載され開示されるユニット、アルゴリズム、およびステップのそれぞれは電子機器またはコンピュータや電子機器用のソフトウェアの組み合わせを使って実現されることを理解する。機能がハードウェアまたはソフトウェアで動作するかどうかは、アプリケーションの状態および技術計画に対する設計要件により決まる。当業者は様々な方法を用いて特定のアプリケーションのそれぞれに対する機能を実現することができるが、そのような現実化は本開示の範囲を超えるべきではない。当業者であれば、上述したシステム、装置およびユニットの作業工程は基本的に同一であるので、上述した実施形態におけるシステム、装置、およびユニットの作業工程を参照できることが理解される。説明を簡単、簡潔とするため、これらの作業工程については詳しく述べない。
【００６８】
本開示の実施形態で開示されるシステム、装置、および方法は他の方法で実現できることが理解される。上述した実施形態は例示に過ぎない。ユニットの境界は単に論理的機能に基づいており、他の境界が現実には存在する。複数のユニットまたは構成要素が結合される、または別のシステムに統合されることはありうる。また、一部の特徴が除外される、または省略されることもありうる。一方で、表示された、または記載された相互結合、直接結合、または通信結合は、電気的形態、機械的形態、または他の種類の形態を用いて、間接的であろうとまたは通信可能であろうと、いくつかのポート、装置、またはユニットを介して動作する。
【００６９】
説明のため分離構成要素としてのこれらのユニットは物理的に分離されている、または分離されていない。ディスプレイ用ユニットは物理的なユニットである、またはそうではなく、つまり、一つの場所に置かれている、または複数のネットワークユニットに分散されている。ユニットの一部またはすべては実施形態の目的に従って使用される。さらに、実施形態のそれぞれにおける各機能ユニットは、物理的に独立している１つの処理ユニットに統合することができる、または２つ以上のユニットを有する一つの処理ユニットに統合することができる。
【００７０】
ソフトウェア機能ユニットが実現、使用され、製品として販売される場合、コンピュータ内の読み取り可能記憶媒体に記憶することができる。この理解に基づき、本開示により提案される技術計画は、本質的に、または部分的に、ソフトウェア製品の形態で実現することができる。あるいは、従来の技術に対して有益である技術計画の一部は、ソフトウェア製品の形態で実現することができる。計算装置（例えばパソコン、サーバ、またはネットワークデバイスなどの）用の複数のコマンドを含むコンピュータ内のソフトウェア製品は記憶媒体に記憶されて、本開示の実施形態で開示される、すべてのステップまたは一部のステップを実行する。記憶媒体には、ＵＳＢディスク、携帯用ハードディスク、読み出し専用メモリ（ＲＯＭ）、ランダムアクセスメモリ（ＲＡＭ）、フロッピーディスク、またはプログラムコードを記憶することができる他の種類の媒体が含まれる。
【００７１】
本開示は最も実践的で好ましい実施形態と考えられるものに関して説明されたが、本開示は開示された実施形態に限定されるのではなく、添付の請求項の最も広範な解釈の範囲から逸脱することなくなされる様々なアレンジを含むことを意図していると理解される。
【図１】
2021534656.tif 000003
【図２】
2021534656.tif 000004
【図３】
2021534656.tif 000005
【図４】
2021534656.tif 000006
【図５】
2021534656.tif 000007
【図６】
2021534656.tif 000008
【図７】
2021534656.tif 000009
【図８】
2021534656.tif 000010
【図９】
2021534656.tif 000011
【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
第１ユーザ機器の無線通信方法であって、
第２ユーザ機器からデータを受信すること（２０２）と、
前記第２ユーザ機器からの前記データの復号を実行すること（２０４）と、
前記第２ユーザ機器からの前記データの前記復号に関連する復号状態に応じたフィードバック情報を前記第２ユーザ機器へ送信すること（２０６）と、
を含む、方法。
【請求項２】
前記フィードバック情報はシーケンスにより運ばれ、前記フィードバック情報はハイブリッド自動再送要求（ＨＡＲＱ）肯定応答（ＡＣＫ）またはＨＡＲＱ否定応答（ＮＡＣＫ）である、請求項１に記載の方法。
【請求項３】
前記シーケンスは、前記フィードバック情報、前記第１ユーザ機器の識別情報（ＩＤ）、前記第２ユーザ機器のＩＤ、前記第１ユーザ機器および前記第２ユーザ機器を含むグループのＩＤ、のうちの少なくとも一つに基づいて決定される、請求項２に記載の方法。
【請求項４】
前記第１ユーザ機器と前記第２ユーザ機器の間の通信はユニキャストまたはグループキャストを用いて行われる、請求項２に記載の方法。
【請求項５】
前記フィードバック情報は１つの直交周波数分割多重（ＯＦＤＭ）シンボルで送信され、前記１つのＯＦＤＭシンボルはガード期間（ＧＰ）として使用されるＯＦＤＭシンボルと隣接する、請求項１から４のいずれか一項に記載の方法。
【請求項６】
送信された前記フィードバック情報を含むＯＦＤＭシンボルの前のシンボルはガード期間（ＧＰ）として使用され、および、送信された前記フィードバック情報を含むＯＦＤＭシンボルの後のシンボルはガード期間（ＧＰ）として使用される、請求項１から４のいずれか一項に記載の方法。
【請求項７】
前記フィードバック情報は２つの隣接するＯＦＤＭシンボルで繰り返し送信され、前記２つの隣接するＯＦＤＭシンボルのうちの前記フィードバック情報を含む第２ＯＦＤＭシンボルはガード期間（ＧＰ）として使用されるＯＦＤＭシンボルと隣接する、請求項１から４のいずれか一項に記載の方法。
【請求項８】
前記第２ユーザ機器からの前記データは物理サイドリンク共有チャネル（ＰＳＳＣＨ）により運ばれ、前記フィードバック情報は異なるスロット内の前記ＰＳＳＣＨに対応する、請求項１から７のいずれか一項に記載の方法。
【請求項９】
前記フィードバック情報はフィードバックチャネルにより運ばれ、前記フィードバックチャネルの送信リソースは物理サイドリンク制御チャネル（ＰＳＣＣＨ）もしくはＰＳＳＣＨの送信リソースにより決定される、または前記ＰＳＣＣＨにより示される、請求項１から８のいずれか一項に記載の方法。
【請求項１０】
無線通信用の第１ユーザ機器（ｕｓｅｒ  ｅｑｕｉｐｍｅｎｔ）であって、
メモリと、
送受信部と、
前記メモリおよび前記送受信部と結合されたプロセッサと、
を備え、
前記プロセッサは、
前記送受信部を制御して第２ユーザ機器からデータを受信し、
前記第２ユーザ機器からの前記データの復号を実行し、
前記送受信部を制御して前記第２ユーザ機器からの前記データの前記復号に関連する復号状態に応じたフィードバック情報を前記第２ユーザ機器へ送信する、
ように構成されている、第１ユーザ機器。
【請求項１１】
前記フィードバック情報はシーケンスにより運ばれ、前記フィードバック情報はハイブリッド自動再送要求（ＨＡＲＱ）肯定応答（ＡＣＫ）またはＨＡＲＱ否定応答（ＮＡＣＫ）である、請求項１０に記載の第１ユーザ機器。
【請求項１２】
前記フィードバック情報は１つの直交周波数分割多重（ＯＦＤＭ）シンボルで送信され、前記１つのＯＦＤＭシンボルはガード期間（ＧＰ）として使用されるＯＦＤＭシンボルと隣接する、請求項１０または１１に記載の第１ユーザ機器。
【請求項１３】
送信された前記フィードバック情報を含むＯＦＤＭシンボルの前のシンボルはガード期間（ＧＰ）として使用され、および、送信された前記フィードバック情報を含むＯＦＤＭシンボルの後のシンボルはガード期間（ＧＰ）として使用される、請求項１０または１１に記載の第１ユーザ機器。
【請求項１４】
前記フィードバック情報は２つの隣接するＯＦＤＭシンボルで繰り返し送信され、前記２つの隣接するＯＦＤＭシンボルのうちの前記フィードバック情報を含む第２ＯＦＤＭシンボルはガード期間（ＧＰ）として使用されるＯＦＤＭシンボルと隣接する、請求項１０または１１に記載の第１ユーザ機器。
【請求項１５】
コンピュータにより実行された場合に前記コンピュータに請求項１から９のいずれか一項に記載の方法を実行させる命令が記憶されている機械可読記憶媒体。
【国際調査報告】
2021534656.tif 000012
2021534656.tif 000013